(57)【特許請求の範囲】
【請求項１】
ロータと、前記ロータを内包するケースと、前記ケースより突出させた前記ロータの軸に固定されたボスと、前記ボスに内部を係合するインペラと、前記インペラを内包し前記ケースに固定され入口と出口を有するケーシングと、前記インペラ内部の前記ボス部への水等の浸入を防止するために前記係合部への入口近傍に設けられたシーリングと、前記ケーシング側から前記ケース内部の前記ロータへの水等の侵入を防止するために前記ケース内部への軸の入口近傍に設けられたオイルシールとを備え、前記ケースと一体に設けられ前記インペラ側へ突出するとともに前記オイルシールを内包し保持する円筒状のリングボスと、前記インペラと一体に設けられ前記ケース側に突出するとともに前記リングボスより径方向内側に位置する円筒状のハウジングと、前記インペラと一体に設けられ前記ケース側へ突出するとともに前記リングボスより径方向外側に位置する円筒状のツバとを設け、前記リングボスの先端部分が前記ハウジングとツバより構成される円筒形の空間部分に位置させるように構成することで、前記インペラのハウジングとツバ、および前記ケースのリングボスにより二重のラビリンス構造を形成してなるポンプ。
【請求項２】
ボスの外周にインペラ内部への水等の侵入を防止するリングＡを設けてなる請求項１記載のポンプ。
【請求項３】
ロータを回転自在に支持する軸受けを備え、前記軸受けとケースとの勘合部に水等の通過を防止するリングＣを設けてなる請求項１記載のポンプ。
【発明の詳細な説明】
【０００１】
【発明の属する技術分野】
本発明は、インダクタモータ等の同期モータを用い、遠心力型インペラにより洗濯機等からの排水を行うためのポンプに関するものである。
【０００２】
【従来の技術】
従来、この種のポンプは図４、図５に示すような構成であった。即ち、図４に示すように、ロータ１は、磁石６、軸７、インサート８から構成されており、図５に示すように、ケース２に保持された負荷側軸受け３とケース２に固定されたキャップ４に保持された反負荷側軸受け５により回転自在に支持されていた。また、軸７は、ケース２に軸受け３と隣接して固定されたオイルシール１３によりシールされていた。
【０００３】
また、インペラ１５は、軸７に固定したボス１４の先端においてクラッチ機構で係合しており、インペラ１５に固定したプレート１６とボス１４によってインペラ１５の回転を妨げない程度に軸方向の移動を制限されている。また、前記のインペラ１５とボス１４の先端での係合部への浸水を防止するため、ボス１４の外周部にリングＡ１７を装着している。
【０００４】
ここで、インペラ１５は、入り口１８Ａと出口１８ｂを有するケーシング１８で覆われ、ケーシング１８は、リングｂ１９によりシールされた状態でケース２にねじ２０で固定されている。また、ケース２内にボビン９に巻かれたコイル１０を装着したコア１１が樹脂１２で固定されている。
【０００５】
上記構成においてその動作について説明すると、コイル１０に端子２１を介して外部電源より通電することにより、ロータが回転し、軸７の回転がインペラ１５に伝達され、インペラ１５の回転により入り口１８Ａより流入する水は出口１８ｂから排出されることとなる。
【０００６】
なお、クラッチ機構は、インダクタモータ等の小さな起動トルクを補うために用いられている。
【０００７】
【発明が解決しようとする課題】
このような従来の構成では、インペラ１５の回転により、入り口１８Ａに流入した水に含まれる砂等の異物は、オイルシール１３と接触し、あるいはプレート１６とボス１４の隙間やリングＡ１７に付着しやすいため、当該砂などの粒子によりリングＡ１７の摩耗が大きくなったり、プレート１６とボス１４との隙間に砂等が詰まり、回転異常が発生しやすくなるものであった。
【０００８】
また、オイルシール１３が摩耗してロータ部に浸水すると、ロータ１の回転異常となりやすく、キャップ４とケース４のすきまから水漏れしてしまう、等の問題があった。
【０００９】
【課題を解決するための手段】
上記課題を解決するために、本発明のポンプは、ロータと、前記ロータを内包するケースと、前記ケースより突出させた前記ロータの軸に固定されたボスと、前記ボスに内部を係合するインペラと、前記インペラを内包し前記ケースに固定され入口と出口を有するケーシングと、前記インペラ内部の前記ボス部への水等の浸入を防止するために前記係合部への入口近傍に設けられたシーリングと、前記ケーシング側から前記ケース内部の前記ロータへの水等の侵入を防止するために前記ケース内部への軸の入口近傍に設けられたオイルシールとを備え、前記ケースと一体に設けられ前記インペラ側へ突出するとともに前記オイルシールを内包し保持する円筒状のリングボスと、前記インペラと一体に設けられ前記ケース側に突出するとともに前記リングボスより径方向内側に位置する円筒状のハウジングと、前記ケースと一体に設けられ前記インペラ側へ突出するとともに前記リングボスより径方向外側に位置する円筒状のツバとを設け、前記リングボスの先端部分が前記ハウジングとツバより構成される円筒形の空間部分に位置させるように構成するものである。
【００１０】
【発明の実施の形態】
請求項１記載の発明は、ロータと、前記ロータを内包するケースと、前記ケースより突出させた前記ロータの軸に固定されたボスと、前記ボスに内部を係合するインペラと、前記インペラを内包し前記ケースに固定され入口と出口を有するケーシングと、前記インペラ内部の前記ボス部への水等の浸入を防止するために前記係合部への入口近傍に設けられたシーリングと、前記ケーシング側から前記ケース内部の前記ロータへの水等の侵入を防止するために前記ケース内部への軸の入口近傍に設けられたオイルシールとを備え、前記ケースと一体に設けられ前記インペラ側へ突出するとともに前記オイルシールを内包し保持する円筒状のリングボスと、前記インペラと一体に設けられ前記ケース側に突出するとともに前記リングボスより径方向内側に位置する円筒状のハウジングと、前記インペラと一体に設けられ前記ケース側へ突出するとともに前記リングボスより径方向外側に位置する円筒状のツバとを設け、前記リングボスの先端部分が前記ハウジングとツバより構成される円筒形の空間部分に位置させるように構成することにより、ポンプのインペラ部への異物の侵入を効果的に防止することができる。
【００１１】
請求項２記載の発明は、特に、インペラを、軸に固定されたボスに係合して配設し、前記ボスの外周にインペラ内部への水等の侵入を防止するリングＡを設けたことにより、一層、インペラ部への異物の侵入を効果的に防止することができる。
【００１２】
請求項３記載の発明は、特に、ロータを回転自在に支持する軸受けを備え、前記軸受けとケースとの勘合部にリングＣを設けたことにより、ロータへの浸水による回転異常と、オイルシールのライフエンドでのケースからの水漏れを効果的に防止することができる。
【００１３】
【実施例】
以下、本発明の一実施例について、図１〜図４を参照しながら説明する。なお、従来例と同じ構成のものは同一符号を付して説明を省略する。
【００１４】
図１に示すように、インペラ１５は、軸７に固定されたシールリング２２と回転自在に接触するシールプレート２３を保持するハウジング２４、及びツバ２５を有している。また、ケース２は、負荷側軸受け３用のオイルシール１３を保持するハウジングのリングボス２６を有している。ここで、前記ハウジング２４とツバ２５により構成する円筒形の空間部分に、前記リングボス２６を位置させることにより、前記ハウジング２４、ツバ２５、リングボス２６からなる二重のラビリンス構造を形成している。
【００１５】
また、ロータ１を支持する反負荷側軸受け５を保持するキャップ４にリングＣ２７を設けている。
【００１６】
以下、上記構成における動作について説明する。
【００１７】
コイル１０に端子２１を介して外部電源より通電することによって、ロータ１が回転し、軸７の回転がインペラ１５に伝達される。インペラ１５の回転により入り口１８Ａより流入する水は出口１８ｂから排出されるが、この際、前記ハウジング２４、ツバ２５、リングボス２６により二重のラビリンス構造が形成されているため、シールリング２２とオイルシール１３との間にある空間には、砂等を含んだ水が流入しにくい状態となる。
【００１８】
また、オイルシール１３のライフエンドに於いて、仮に、負荷側軸受け３と軸７の隙間からのロータ１部に水が浸水したとしても、リングＣ２７によりキャップ４からケース２の外部への流出を遮断することができるものである。
【００１９】
【発明の効果】
以上のように、請求項１、２記載の発明によれば、インペラのハウジングとツバ、及びケースのリングボスにより二重のラビリンス構造を形成してなることにより、シールリングとオイルシールとの間にある空間に水等が流入しにくく、インペラ内への異物の侵入による軸とオイルシールの摩耗が原因で起きるインペラ部の回転異常を防止することができる。
【００２０】
また、請求項３記載の発明によれば、ロータを回転自在に支持する軸受けを備え、前記軸受けとケースとの勘合部にリングＣを設けたことにより、ロータへの浸水による回転異常と、オイルシールのライフエンドでのケースからの水漏れを効果的に防止することができる。
【図面の簡単な説明】
【図１】  本発明の一実施例のポンプの側面断面図
【図２】  同ポンプの前面図
【図３】  同ポンプの後面の一部切欠き断面図
【図４】  同ポンプのロータの側面断面図
【図５】  従来のポンプの側面断面図
【符号の説明】
１  ロータ
２  ケース
４  キャップ
７  軸
１３  オイルシール
１４  ボス
１７  リングＡ
２２  シールリング
２３  シールプレート
２４  ハウジング
２５  ツバ
２６  リングボス
２７  リングＣ
【図１】
0003750265.tif 000002
【図２】
0003750265.tif 000003
【図３】
0003750265.tif 000004
【図４】
0003750265.tif 000005
【図５】
0003750265.tif 000006